(57)【要約】【課題】タッチ式入力装置において、操作性を向上させることができる。【解決手段】タッチパッドへのタッチ操作が解除されたタッチオフ操作がされると、一定時間の経過後に、操作座標６１が選択中のアイコン５０ａ〜５０ｆの中心Ｐｃに移動する。よって、タッチオフ操作後に、再度のなぞり操作をする際に、アイコンの中心Ｐｃから一定のなぞり操作距離にて選択アイコンを切り替えることができる。【選択図】図３
2014102807.tif 000002
【特許請求の範囲】
【請求項１】
複数のアイコンを表示するディスプレイと、
操作面に対するユーザのタッチ操作を検出する検出手段と、
前記検出手段の検出結果に基づき前記ディスプレイ上に位置する操作座標を移動させ、その操作座標が位置する領域に応じて前記アイコンを選択した状態とする制御手段と、
を備えたタッチ式入力装置において、
前記制御手段は、前記操作面へのタッチ操作が解除されたタッチオフ操作がされた旨判断すると、前記操作座標が位置する前記領域における特定の位置に前記操作座標を移動させる
ことを特徴とするタッチ式入力装置。
【請求項２】
請求項１に記載のタッチ式入力装置において、
前記制御手段は、前記タッチオフ操作がされた旨判断すると、前記操作座標を、前記特定の位置として選択中又は直近のアイコンの中心に移動させる
ことを特徴とするタッチ式入力装置。
【請求項３】
請求項１又は２に記載のタッチ式入力装置において、
前記制御手段は、前記タッチオフ操作がされた旨判断すると、連続的ななぞり操作を許容する一定時間の経過後に前記操作座標を移動させる
ことを特徴とするタッチ式入力装置。
【請求項４】
請求項３に記載のタッチ式入力装置において、
前記制御手段は、前記操作面へのタッチ操作であるタッチオン操作がされてから前記タッチオフ操作がされるまでに選択するアイコンが切り替わった旨判断すると、前記タッチオフ操作と同時に特定の位置に前記操作座標を移動させる
ことを特徴とするタッチ式入力装置。
【発明の詳細な説明】
【技術分野】
【０００１】
この発明は、タッチ式入力装置に関する。
【背景技術】
【０００２】
従来、タッチパッドをタッチ操作（なぞり操作）することで、ディスプレイに表示されたアイコンの選択操作を行うタッチ式入力装置が知られている（例えば、特許文献１参照）。
【０００３】
具体的には、図８に示すように、ディスプレイ１００には複数のアイコン１０１ａ〜１０１ｆが表示されている。タッチパッドへのなぞり操作に対応して、×印で示す操作座標１０５がディスプレイ１００上を移動する。この操作座標１０５が位置するアイコン１０１ａ〜１０１ｆは選択された状態となる。
【先行技術文献】
【特許文献】
【０００４】
【特許文献１】特開２００９−２５３７７３号公報
【発明の概要】
【発明が解決しようとする課題】
【０００５】
上記構成において、なぞり操作に伴い操作座標１０５が移動し、手指がタッチパッドから離されると、その位置に操作座標１０５が停止する。操作座標１０５が停止した位置から、再びなぞり操作を通じて隣のアイコンを選択する場合、操作座標１０５の停止位置に応じて必要となるなぞり操作距離が異なる。例えば、図８に示すように、アイコン１０１ａからアイコン１０１ｆに選択アイコンを切り替えるために、操作座標１０５が位置Ｐ１に存在する場合には距離Ｄ１だけなぞり操作が必要となる。また、操作座標１０５が位置Ｐ２に存在する場合には上記距離Ｄ１より長い距離Ｄ２だけなぞり操作が必要となって、操作座標１０５が位置Ｐ３に存在する場合には上記距離Ｄ２より長い距離Ｄ３だけなぞり操作が必要となる。このように、選択アイコンの切り替えに要するなぞり操作距離が異なるため、なぞり操作にあたってユーザに違和感を与えていた。
【０００６】
この発明は、こうした実情に鑑みてなされたものであり、その目的は、操作性を向上させたタッチ式入力装置を提供することにある。
【課題を解決するための手段】
【０００７】
上記課題を解決するために、複数のアイコンを表示するディスプレイと、操作面に対するユーザのタッチ操作を検出する検出手段と、前記検出手段の検出結果に基づき前記ディスプレイ上に位置する操作座標を移動させ、その操作座標が位置する領域に応じて前記アイコンを選択した状態とする制御手段と、を備えたタッチ式入力装置において、前記制御手段は、前記操作面へのタッチ操作が解除されたタッチオフ操作がされた旨判断すると、前記操作座標が位置する前記領域における特定の位置に前記操作座標を移動させる。
【０００８】
この構成によれば、操作面へのタッチ操作が解除されたタッチオフ操作がされると、操作座標が領域における特定の位置に移動する。よって、タッチオフ操作後に、再度のなぞり操作をする際に、一定のなぞり操作距離にて選択アイコンを切り替えることができる。これにより、タッチ式入力装置における操作性を向上させることができる。
【０００９】
上記タッチ式入力装置について、前記制御手段は、前記タッチオフ操作がされた旨判断すると、前記操作座標を、前記特定の位置として選択中又は直近のアイコンの中心に移動させることが好ましい。
【００１０】
この構成によれば、タッチオフ操作がされると、操作座標が選択中又は直近のアイコンの中心に移動する。よって、タッチオフ操作後に、再度のなぞり操作をする際に、アイコンの中心から一定のなぞり操作距離にて選択アイコンを切り替えることができる。これにより、タッチ式入力装置における操作性を向上させることができる。
【００１１】
上記タッチ式入力装置について、前記制御手段は、前記タッチオフ操作がされた旨判断すると、連続的ななぞり操作を許容する一定時間の経過後に前記操作座標を移動させることが好ましい。
【００１２】
この構成によれば、タッチオフ操作がされると、一定時間の経過後に、操作座標が移動する。よって、連続的になぞり操作を行う場合に、そのなぞり操作後毎に操作座標が自動で移動されることが抑制される。従って、連続的ななぞり操作を通じて円滑に選択アイコンの切り替えが可能となる。これにより、タッチ式入力装置における操作性を向上させることができる。
【００１３】
上記タッチ式入力装置について、前記制御手段は、前記操作面へのタッチ操作であるタッチオン操作がされてから前記タッチオフ操作がされるまでに選択するアイコンが切り替わった旨判断すると、前記タッチオフ操作と同時に特定の位置に前記操作座標を移動させることが好ましい。
【００１４】
この構成によれば、タッチオン操作からタッチオフ操作までの間に選択されるアイコンが切り替わった場合には、タッチオフ操作と同時に操作座標が移動される。これにより、連続的に選択アイコンを切り替える際に必要となるなぞり操作距離を一定にすることができる。従って、タッチ式入力装置における操作性を向上させることができる。
【発明の効果】
【００１５】
本発明によれば、タッチ式入力装置において、操作性を向上させることができる。
【図面の簡単な説明】
【００１６】
【図１】第１の実施形態における車両に搭載されるタッチパッド及びディスプレイを示す斜視図。
【図２】第１の実施形態におけるタッチ式入力装置の構成を示すブロック図。
【図３】第１の実施形態におけるディスプレイの正面図。
【図４】第１の実施形態における（ａ）は一定時間を待って操作座標をアイコンの中心に移動させる構成であって、（ｂ）は上記（ａ）との対比として一定時間を待たずに操作座標をアイコンの中心に移動させる構成であるディスプレイの正面図。
【図５】第１の実施形態における制御装置による処理手順を示すフローチャート。
【図６】第２の実施形態におけるディスプレイの正面図。
【図７】第２の実施形態における（ａ）はタッチオフ操作から一定時間を待って操作座標をアイコンの中心に移動させる構成であって、（ｂ）はタッチオフ操作と同時に操作座標をアイコンの中心に移動させる構成であるディスプレイの正面図。
【図８】背景技術におけるタッチ式入力装置のディスプレイの正面図。
【発明を実施するための形態】
【００１７】
（第１の実施形態）
以下、タッチ式入力装置の第１の実施形態について図１〜図５に沿って説明する。
図１に示すように、ダッシュボード１の中央部（センタークラスタ）にはディスプレイ５が嵌め込まれている。センターコンソール２には、シフトレバー３が設けられ、その手前側にタッチパッド１３がその表面（操作面）を露出させる態様で設けられている。
【００１８】
ユーザは、タッチパッド１３のタッチ操作（なぞり操作）を通じて、ディスプレイ５に表示されたアイコンの選択及び決定を行うことでカーナビゲーション等の車載機器の操作を行う。
【００１９】
図２に示すように、タッチ式入力装置１０は、ディスプレイ５と、タッチパッド１３と、制御装置１１とを備える。
タッチパッド１３には、検出手段としてタッチセンサ１４が内蔵されている。タッチセンサ１４は、タッチパッド１３に指が触れたことに伴う静電容量の変化を検出し、その検出結果を制御装置１１に出力する。制御装置１１は制御手段に相当する。
【００２０】
制御装置１１は時間を計測するタイマ１１ａを有する。また、制御装置１１は、上記ディスプレイ５の画面を制御する。例えば、図３に示すように、制御装置１１は、ディスプレイ５に複数のアイコン５０ａ〜５０ｆを表示する。
【００２１】
制御装置１１は、タッチセンサ１４の検出結果に基づきディスプレイ５上の×印で示される操作座標６１を移動させる。よって、タッチパッド１３に対するなぞり操作の方向と距離に応じて操作座標６１を移動させることが可能となる。
【００２２】
アイコン５０ａ〜５０ｆ間には図中に破線で示す境界線Ｌ１〜Ｌ３が仮想的に設定される。これら境界線Ｌ１〜Ｌ３によってアイコン５０ａ〜５０ｆに対応する領域５１ａ〜５１ｆが設定される。制御装置１１は、操作座標６１が位置する領域５１ａ〜５１ｆに対応するアイコン５０ａ〜５０ｆを選択した状態とする。
【００２３】
制御装置１１は、タッチセンサ１４の検出結果に基づき、タッチオフ操作された旨判断すると、タイマ１１ａを通じて一定時間Ｔ１経過した後、操作座標６１を選択中のアイコン５０ａ〜５０ｆの中心Ｐｃに移動させる。また、タッチオフ操作後もアイコンの選択状態を継続する。すなわち、本例では、ディスプレイ５上のどこに操作座標６１があっても、常時アイコンが選択された状態にあり、操作座標６１はディスプレイ５に表示しない。このタッチオフ操作とは、タッチパッド１３から手指を離す操作をいう。
【００２４】
例えば、図３に示すように、領域５１ａにおける各位置Ｐ１〜Ｐ３に操作座標６１が存在する場合、操作座標６１は上記一定時間Ｔ１の経過を待って、そのアイコン５０ａの中心Ｐｃに移動する。このように、操作座標６１をアイコン５０ａの中心Ｐｃに移動させることで、選択アイコンを隣りのアイコン５０ｂ，５０ｆに切り替える際に必要となるなぞり操作距離Ｄ１，Ｄ２が常に一定となる。
【００２５】
上記一定時間Ｔ１は、連続的ななぞり操作が行われると予想される時間内に設定される。この連続的ななぞり操作とは、選択アイコンを連続的に切り替えるべく、なぞり操作及びタッチオフ操作が短時間で繰り返される操作である。上記のように、操作座標６１の移動まで、一定時間Ｔ１の経過を待つことで、図４（ａ）に示すように、連続的ななぞり操作（なぞり操作Ｓ１，Ｓ２）に伴い、選択アイコンをアイコン５０ａからアイコン５０ｆに切り替えることが可能となる。これに対比して、一定時間Ｔ１の経過を待たない構成においては、図４（ｂ）に示すように、最初のなぞり操作Ｓ１´後に操作座標６１がアイコン５０ａの中心Ｐｃに戻される。このため、連続的ななぞり操作を通じた選択アイコンの切り替えが困難となる。
【００２６】
次に、図５のフローチャートに沿って制御装置１１の処理手順について説明する。このフローチャートは繰り返し実行されている。
制御装置１１はタッチオフ操作を待って（Ｓ１０１でＮＯ）、タッチオフ操作がされたとき（Ｓ１０１でＹＥＳ）、タイマ１１ａを通じて時間の計測を開始する（Ｓ１０２）。
【００２７】
そして、制御装置１１は、計測時間が一定時間Ｔ１を経過するのを待って（Ｓ１０３でＮＯ）、計測時間が一定時間Ｔ１を経過したとき（Ｓ１０３でＹＥＳ）、操作座標６１をアイコン５０ａ〜５０ｆの中心Ｐｃに移動させる（Ｓ１０４）。最後に、制御装置１１はタイマ１１ａをリセットして、フローチャートに係る処理を終了する。
【００２８】
以上、説明した実施形態によれば、特に以下の効果を奏することができる。
（１）タッチパッド１３へのタッチ操作が解除されたタッチオフ操作がされると、一定時間Ｔ１の経過後に、操作座標６１が選択中のアイコン５０ａ〜５０ｆの中心Ｐｃに移動する。よって、タッチオフ操作後に、再度のなぞり操作をする際に、アイコンの中心Ｐｃから一定のなぞり操作距離にて選択アイコンを切り替えることができる。これにより、タッチ式入力装置１０における操作性を向上させることができる。
【００２９】
（２）タッチオフ操作がされると、一定時間Ｔ１の経過後に操作座標６１が移動する。よって、連続的になぞり操作を行う場合に、そのなぞり操作毎に操作座標６１が自動で移動されることで円滑な選択アイコンの切り替えが阻害されることが抑制される。これにより、タッチ式入力装置１０における操作性を向上させることができる。
【００３０】
（３）タッチオフ操作がされると一定時間Ｔ１の経過後に、操作座標６１が選択中のアイコンの中心Ｐｃに移動する。これにより、操作座標６１が領域５１ａ〜５１ｆを区切る境界線Ｌ１〜Ｌ３付近に停止することが抑制される。これにより、ユーザの意図なく操作座標６１が境界線Ｌ１〜Ｌ３を跨ぐことが抑制されるため、選択アイコンを安定させることができる。
【００３１】
（第２の実施形態）
以下、タッチ式入力装置の第２の実施形態について、図６及び図７を参照して説明する。以下、第１の実施形態との相違点を中心に説明する。
【００３２】
制御装置１１は、タッチオン操作からタッチオフ操作までの間に選択されるアイコン５０ａ〜５０ｆが切り替わった場合には、タッチオフ操作と同時に操作座標６１を選択中のアイコン５０ａ〜５０ｆの中心Ｐｃに移動させる。
【００３３】
例えば、図６に示すように、タッチパッド１３に対するタッチ操作（タッチオン操作）を通じて操作座標６１がアイコン５０ｆ内の位置Ｐ１１に位置したとする。つぎに、タッチパッド１３に対するなぞり操作を通じて操作座標６１が位置Ｐ１１からアイコン５０ａ内の位置Ｐ１２に移動したとする。そして、位置Ｐ１２においてタッチパッド１３に対するタッチ操作を解除するタッチオフ操作がされると同時に、操作座標６１がアイコン５０ａの中心Ｐｃに移動される。
【００３４】
例えば、図７（ａ），（ｂ）に示すように、ディスプレイ５にアイコンが多数表示されている状態で、選択アイコン７１〜７５を順に切り替えるべく、一定時間Ｔ１の経過を待たずに連続的になぞり操作を一定のなぞり操作距離Ｄ１１で行うとする。図７（ａ）は第１の実施形態における制御が実行される場合であって、図７（ｂ）は第２の実施形態における制御が実行される場合である。１回目のなぞり操作距離Ｄ１１のなぞり操作を通じて、選択アイコンがアイコン７１からアイコン７２に切り替わる。
【００３５】
図７（ａ）に示すように、第１の実施形態における制御では、選択アイコンをアイコン７２からアイコン７３に切り替えるべく、なぞり操作距離Ｄ１１で２回目のなぞり操作を行った場合、操作座標６１が目標となるアイコン７３を超えてアイコン７４が選択された状態となる。
【００３６】
一方、図７（ｂ）に示すように、第２の実施形態における制御では、１回目のなぞり操作後に操作座標６１が中心Ｐｃに移動する。このため、つぎに選択アイコンをアイコン７２からアイコン７３に切り替えるべく、なぞり操作距離Ｄ１１で２回目のなぞり操作を行った場合、操作座標６１が目標となるアイコン７３上となって、アイコン７３が選択された状態となる。このように、連続的ななぞり操作を通じて順に選択アイコンを切り替えることが可能となる。
【００３７】
以上、説明した実施形態によれば、以下の効果を奏することができる。
（４）タッチオン操作からタッチオフ操作までの間に選択されるアイコン５０ａ〜５０ｆが切り替わった場合には、タッチオフ操作と同時に操作座標６１が選択中のアイコン５０ａ〜５０ｆの中心Ｐｃに移動される。これにより、第１の実施形態における一定時間Ｔ１の経過前に、次のなぞり操作をアイコン５０ａ〜５０ｆの中心Ｐｃから開始することができる。よって、連続的に選択アイコンが切り替わるなぞり操作を行った場合であっても、その際に必要となるなぞり操作距離を一定にすることができる。これにより、タッチ式入力装置１０における操作性を向上させることができる。
【００３８】
（５）タッチオン操作からタッチオフ操作までの間に選択されるアイコン５０ａ〜５０ｆが切り替わらない場合には、上記第１の実施形態と同様に効果が得られる。
なお、上記実施形態は、これを適宜変更した以下の形態にて実施することができる。
【００３９】
・第１の実施形態においては、タッチオフ操作後に、一定時間Ｔ１の経過を待ってアイコン５０ａ〜５０ｆの中心Ｐｃに操作座標６１を移動させていた。しかし、この操作座標６１の移動位置は、タッチオフ操作時に操作座標６１が存在する領域５１ａ〜５１ｆの特定の位置であれば、アイコン５０ａ〜５０ｆの中心Ｐｃに限らない。この場合でも、再度のなぞり操作時には、操作座標６１が特定の位置に存在することになるため、選択アイコンの切り替え時に必要となるなぞり操作距離を一定とすることができる。第２の実施形態においても同様に、タッチオン操作からタッチオフ操作までの間に選択されるアイコン５０ａ〜５０ｆが切り替わった場合には、タッチオフ操作と同時に操作座標６１をアイコン５０ａ〜５０ｆの中心Ｐｃ以外の特定の位置に移動させてもよい。
【００４０】
・第１の実施形態においては、タッチオフ操作がされると、一定時間Ｔ１の経過後に、操作座標６１を選択中のアイコンの中心Ｐｃに移動させていた。しかし、何れのアイコン５０ａ〜５０ｆも選択されていない状況にあっては、操作座標６１をその操作座標６１に直近のアイコンの中心Ｐｃに移動させてもよい。第２の実施形態も同様である。
【００４１】
・第１の実施形態においては、タッチオフ操作後に、一定時間Ｔ１の経過を待ってアイコン５０ａ〜５０ｆの中心Ｐｃに操作座標６１を移動させていた。一定時間Ｔ１の経過を待たずに、タッチオフ操作後にアイコン５０ａ〜５０ｆの中心Ｐｃに操作座標６１を移動させてもよい。この場合、タッチオフ操作後に常に一定のなぞり操作距離にて選択アイコンの切り替えが可能となる。
【００４２】
・上記両実施形態において、アイコン５０ａ〜５０ｆの範囲と領域５１ａ〜５１ｆの範囲とが同一範囲であってもよい。
・タッチパッド１３の位置は上記両実施形態に限らず、例えば、ステアリング又はダッシュボード１に設けられていてもよい。
【００４３】
・上記両実施形態におけるタッチ式入力装置１０を車両以外の電気機器に適用してもよい。
・上記両実施形態においては、タッチセンサ１４として静電容量方式が採用されていたが、その他、抵抗膜方式、表面弾性波方式、赤外線方式又は電磁誘導方式を採用してもよい。
【００４４】
・上記両実施形態におけるアイコン５０ａ〜５０ｆの種類、数及び形状は一例であって、これに限定されない。
・上記両実施形態においては、操作座標６１がディスプレイ５に表示されていなかったが、その操作座標６１をポインタとして表示させてもよい。
【００４５】
・上記両実施形態におけるアイコンの概念にはボタン、リスト及びスクロールバーも含まれている。
次に、前記実施形態から把握できる技術的思想を記載する。
【００４６】
（イ）上記タッチ式入力装置において、前記操作面は前記ディスプレイとは別にタッチパッドに設けられていることを特徴とするタッチ式入力装置。
（ロ）上記タッチ式入力装置は車両に搭載されていることを特徴とするタッチ式入力装置。
【符号の説明】
【００４７】
５…ディスプレイ、１０…タッチ式入力装置、１１…制御装置、１３…タッチパッド、１４…タッチセンサ、５０ａ〜５０ｄ…アイコン、５１ａ〜５１ｄ…領域。
【図１】
2014102807.tif 000003
【図２】
2014102807.tif 000004
【図３】
2014102807.tif 000005
【図４】
2014102807.tif 000006
【図５】
2014102807.tif 000007
【図６】
2014102807.tif 000008
【図７】
2014102807.tif 000009
【図８】
2014102807.tif 000010